(57)【要約】【課題】ユーザにとって使いやすいタッチインターフェースを実現する。【解決手段】タッチパネル（１２）に触れようと体を動かしたユーザの体の動きを検出する操作予測部（４１）と、操作予測部（４１）によって上記体の動きが検出されたとき、表示部（１３）に操作画像を表示する表示制御部（４２）とを備える。【選択図】図１
2016071558.tif 000002
【特許請求の範囲】
【請求項１】
表示部および該表示部と一体に形成されたタッチパネルを備えた表示装置に、上記タッチパネルに対するタッチ操作によって操作可能な操作画像を上記表示部に表示させる表示制御装置であって、
上記タッチパネルに触れようと体を動かしたユーザの体の動きを検出する検出部と、
上記検出部によって上記体の動きが検出されたとき、上記表示部に上記操作画像を表示する表示制御部と、を備えることを特徴とする表示制御装置。
【請求項２】
上記検出部は、上記ユーザの体の動きとして、上記ユーザの右手の動きおよび左手の動きを区別して検出し、
上記表示制御部は、上記検出部によって上記右手の動きが検出されたとき、上記操作画像を上記表示部における上記ユーザの右手側の領域に表示する一方、上記左手の動きが検出されたとき、上記操作画像を上記表示部における上記ユーザの左手側の領域に表示することを特徴とする請求項１に記載の表示制御装置。
【請求項３】
上記検出部は、上記ユーザの体の動きとして、上記ユーザの顔が上記タッチパネルに近づく動きを検出し、
上記表示制御部は、上記検出部によって上記ユーザの顔が上記タッチパネルに近づく動きが検出されたとき、上記表示部の中心を含む領域または上記表示部の全領域に上記操作画像を表示することを特徴とする請求項１または２に記載の表示制御装置。
【請求項４】
上記ユーザを連続して撮影する撮影部をさらに備え、
上記検出部は、上記撮影部によって撮影された映像または画像から上記ユーザの上記体の動きを検出することを特徴とする請求項１から３のいずれか１項に記載の表示制御装置。
【請求項５】
上記検出部は、上記撮影部によって撮影された映像または画像における、上記ユーザの体の動きの変化率が所定の変化率以上であるか否かを判定し、
上記表示制御部は、上記検出部によって上記所定の変化率以上であると判定されたとき、上記表示部に上記操作画像を表示することを特徴とする請求項４に記載の表示制御装置。
【請求項６】
上記検出部は、上記撮影部によって撮影された映像または画像を、上記ユーザの顔を中心として左右に分割し、
上記表示制御部は、上記検出部によって分割された上記映像または画像の左側の領域における上記変化率が上記所定の変化率以上であると判定されたとき、上記操作画像を上記表示部における上記ユーザの右手側の領域に表示する一方、右側の領域における上記変化率が上記所定の変化率以上であると判定されたとき、上記操作画像を上記表示部における上記ユーザの左手側の領域に表示することを特徴とする請求項５に記載の表示制御装置。
【請求項７】
上記表示装置と上記ユーザとの距離を測定する距離測定部をさらに備え、
上記検出部は、上記距離測定部によって測定された距離が所定の閾値未満であるとき、上記撮影部によって撮影された映像または画像から上記体の動きを検出することを特徴とする請求項４から６のいずれか１項に記載の表示制御装置。
【請求項８】
上記検出部は、上記タッチパネルを予め分割した複数の領域のうち、上記ユーザの体の動きによって触れようとしている領域を特定し、
上記表示制御部は、上記検出部によって特定された上記領域と重なる上記表示部の表示領域に上記操作画像を表示することを特徴とする請求項１に記載の表示制御装置。
【請求項９】
上記触れようとしている領域を特定可能なようにそれぞれ異なる位置に設けられた、上記表示装置と上記ユーザとの距離を測定する複数の距離測定部をさらに備え、
上記検出部は、上記複数の距離測定部によってそれぞれ測定された距離に基づいて、上記触れようとしている領域を特定することを特徴とする請求項８に記載の表示制御装置。
【請求項１０】
表示部および該表示部と一体に形成されたタッチパネルを備えた表示装置に、上記タッチパネルに対するタッチ操作によって操作可能な操作画像を上記表示部に表示させる表示制御装置の制御方法であって、
上記タッチパネルに触れようと体を動かしたユーザの体の動きを検出する検出ステップと、
上記検出ステップにて上記体の動きを検出したとき、上記表示部に上記操作画像を表示する表示ステップと、を含むことを特徴とする表示制御装置の制御方法。
【請求項１１】
請求項１に記載の表示制御装置としてコンピュータを機能させるための制御プログラムであって、上記検出部および上記表示制御部としてコンピュータを機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、表示部および該表示部と一体に形成されたタッチパネルを備えた表示装置にタッチ操作可能な画像を表示させる表示制御装置などに関する。
【背景技術】
【０００２】
近年、タッチ操作によって操作可能な（タッチインターフェースを備えた）テレビなどの表示装置が普及している。タッチインターフェースは直感的なユーザインターフェースであり、自宅以外の場所にてテレビなどの表示装置を利用する場合に、商品知識が無くても操作が容易であることが普及の理由の１つである。自宅以外の場所での表示装置の利用の例としては、ホテルの部屋での利用、病院（病室または待合室など）での利用、スポーツジムにおいてランニングマシンなどに備え付けられたテレビの利用などが挙げられる。
【０００３】
タッチインターフェースを備えた表示装置においては、選局やメニュー選択を行うための画像をタッチ操作で表示し、表示した画像に対してさらに操作を行うことで、テレビの場合チャンネルを変えたり、設定を変えたりする処理を実行することができる。しかしながら、このような処理を実行するまでには２回のタッチ操作が必要であり、利便性の高いタッチインターフェースが実現されているとは言い難い。
【０００４】
この問題の解決策として、特許文献１〜３に記載の技術が提案されている。特許文献１および２には、ジェスチャによってタッチ操作無しで画像表示を制御する技術が記載されている。また特許文献３には、指が近づいたことを検知して画像を表示する技術が記載されている。
【０００５】
また、ユーザにとって使用しやすいタッチインターフェースを実現するために、様々な技術が提案されている。例えば特許文献４には、近づいた指の位置に表示されている画像移動させる技術が記載されている。また特許文献５には、ユーザの手の情報をあらかじめ登録しておき、操作する手が右手の場合と左手の場合とで、それぞれにおいて適切な画像を表示する技術が記載されている。
【先行技術文献】
【特許文献】
【０００６】
【特許文献１】特開２０１１−１００３９６号公報（２０１１年５月１９日公開）
【特許文献２】特開２０１３−０１６０６０号公報（２０１３年１月２４日公開）
【特許文献３】特開２００２−３５８１６２号公報（２００２年１２月１３日公開）
【特許文献４】特開２０１４−１０２８５１号公報（２０１４年６月５日公開）
【特許文献５】特開２０１１−１５０６７２号公報（２０１１年８月４日公開）
【発明の概要】
【発明が解決しようとする課題】
【０００７】
しかしながら、特許文献１および２の技術では、実施するジェスチャを予め覚えておかなくてはならず、自宅以外の場所で一時的にテレビを利用する場合には適さないという問題がある。また、周囲に人がいる状態でジェスチャを実施することは恥ずかしいと感じるユーザもいる。
【０００８】
また、特許文献３や４の技術では、指が画面近くに近づいたことを検知して画像を指の近くに表示するため、ユーザが画面にタッチする直前になるまで画像が表示されない。そのため、タッチ操作の直前にタッチする位置（例えば、画像内においてユーザがタッチしたいボタンの位置）を確認しなければならず、ユーザにとって不便であるという問題がある。
【０００９】
その他の解決策としては、例えば音声入力によって画像を表示するなどが考えられるが、ジェスチャと同様に周囲に人がいる状態で音声入力を行うことは恥ずかしいと感じるユーザもいる。
【００１０】
本発明は、上記の問題点に鑑みてなされたものであり、その目的は、ユーザにとって使いやすいタッチインターフェースを実現する表示制御装置などを提供することにある。
【課題を解決するための手段】
【００１１】
上記の課題を解決するために、本発明の一態様に係る表示制御装置は、表示部および該表示部と一体に形成されたタッチパネルを備えた表示装置に、上記タッチパネルに対するタッチ操作によって操作可能な操作画像を上記表示部に表示させる表示制御装置であって、上記タッチパネルに触れようと体を動かしたユーザの体の動きを検出する検出部と、上記検出部によって上記体の動きが検出されたとき、上記表示部に上記操作画像を表示する表示制御部と、を備える。
【００１２】
また、上記の課題を解決するために、本発明の一態様に係る表示制御装置の制御方法は、表示部および該表示部と一体に形成されたタッチパネルを備えた表示装置に、上記タッチパネルに対するタッチ操作によって操作可能な操作画像を上記表示部に表示させる表示制御装置の制御方法であって、上記タッチパネルに触れようと体を動かしたユーザの体の動きを検出する検出ステップと、上記検出ステップにて上記体の動きを検出したとき、上記表示部に上記操作画像を表示する表示ステップと、を含む。
【発明の効果】
【００１３】
本発明の一態様によれば、ユーザにとって使いやすいタッチインターフェースを実現するという効果を奏する。
【図面の簡単な説明】
【００１４】
【図１】本発明の実施形態１に係るテレビの要部構成の一例を示すブロック図である。
【図２】図１に示すテレビのハードウェア構成の一例を示す図である。
【図３】図１に示すテレビにおいて撮影される撮影映像の一例を示す図である。
【図４】図１に示すテレビにおいて撮影される撮影映像の一例を示す図である。
【図５】図１に示すテレビにおける、操作パネルおよびメニュー画像の例を示す画面図である。
【図６】図１に示すテレビにおける、操作パネルの表示例を示す画面図である。
【図７】図１に示すテレビにおける、画像表示処理の流れの一例を示すフローチャートである。
【図８】本発明の実施形態２に係るテレビの要部構成の一例を示すブロック図である。
【図９】図８に示すテレビにおける、画像表示処理の流れの一例を示すフローチャートである。
【図１０】本発明の実施形態３に係るテレビの要部構成の一例を示すブロック図である。
【図１１】（ａ）は、図１０に示すテレビとユーザとの最短距離の算出方法を示す模式図であり、（ｂ）は、指示体（指）がタッチする領域を特定する方法を示す模式図である。
【図１２】図１０に示すテレビにおける、画像表示処理の流れの一例を示すフローチャートである。
【発明を実施するための形態】
【００１５】
以下、本発明の実施の形態について、詳細に説明する。以下で説明する実施形態では、本発明の表示制御装置と一体となっているテレビ（表示装置）を例に挙げて説明する。なお、表示制御装置と表示装置とは別体であってもよい。また、表示制御装置は、表示装置と有線または無線によって通信可能に接続され、当該表示装置に画像を表示させるものであればよく、例えば、テレビと別体のチューナ、ＨＤＤレコーダなどの録画装置、ゲーム機、ディスプレイに接続されたパソコンなどに本発明を適用することもできる。
【００１６】
なお、図面における長さ、大きさおよび幅などの寸法関係ならびに形状は、図面の明瞭化と簡略化のために適宜に変更されており、実際の寸法および形状と異なる場合がある。
【００１７】
〔実施形態１〕
本発明の一実施形態について、図１〜図７に基づいて説明すれば、以下のとおりである。
【００１８】
（テレビ１０のハードウェア構成）
まず、図２を参照してテレビ１０（表示装置）のハードウェア構成について説明する。図２は、テレビ１０のハードウェア構成の一例を示す図である。図２に示すとおり、テレビ１０は、動作取得部１１、タッチパネル１２、表示部１３、制御部１４、チューナ２１、ストリーム分離部２２、グラフィックス処理部２３、ビデオデコード部２４、音声デコード部２５、スケーリング部２６、スケーリング部２７、ミキシング部２８、ブレンド部２９、ＤＡＣ３１、およびスピーカ３２を備えている。
【００１９】
動作取得部１１は、ユーザの動作に関する動作情報を取得するデバイスである。動作取得部１１の詳細については後述する。
【００２０】
タッチパネル１２は、ユーザがテレビ１０に対して指示を入力するためのものである。タッチパネル１２は、指示体（指またはペンなど）の接触（接近）を受け付けるタッチ面と、指示体とタッチ面との接触／非接触（接近／非接近）、および、その接触（接近）位置を検知するためのタッチセンサとで構成されている。上記タッチセンサは、指示体とタッチ面との接触／非接触（接近／非接近）を検知できれば、どのようなセンサで実現されていても構わない。上記タッチセンサは、例えば圧力センサ、静電容量センサ、光センサなどで実現される。また、タッチセンサはタッチ面に接近する指示体を撮影するカメラであってもよい。タッチパネル１２は、検知した指示体が接触（接近）した位置（座標）の情報（以下、タッチ情報）を、後述する処理指示部４３に出力する。
【００２１】
表示部１３は、テレビ１０が処理する情報を画像または映像として表示領域に表示する表示デバイスである。例えば表示部１３には、テレビジョン放送信号に応じた映像や、制御部１４によって生成された操作パネル（操作画像）などが表示される。例えば、表示部１３はＬＣＤ（液晶ディスプレイ）などの表示デバイスで実現される。
【００２２】
なお、本実施形態では、タッチパネル１２と表示部１３とは一体に形成されている。
【００２３】
制御部１４は、テレビ１０が備える各部を統括制御するものである。なお、制御部１４の詳細については後述する。
【００２４】
チューナ２１は、選局を実施し、デジタル放送波から予め指定されたチャンネルのストリームを抽出する。なお、チューナ２１によって抽出されたストリームは、データ放送を表示するためのＢＭＬ（Broadcast Markup Language）情報を含んでいてもよい。
【００２５】
ストリーム分離部２２は、チューナ２１から抽出されたトランスポートストリーム（ＴＳ）を、映像信号、音声信号、およびデータ信号（字幕情報、ＢＭＬ情報など）へとストリーム分離（ＤＥＭＵＸ）する。
【００２６】
グラフィックス処理部２３は、分離されたデータ信号、および制御部１４から出力された操作パネルなどの画像信号をグラフィックに変換する。グラフィックス処理部２３によって生成されたグラフィックは、スケーリング部２６に出力される。
【００２７】
ビデオデコード部２４は、分離された映像信号をデコードする。ビデオデコード部に２４によってデコードされた映像信号は、スケーリング部２７に出力される。
【００２８】
音声デコード部２５は、分離された音声信号をデコードする。音声デコード部２５によってデコードされた音声信号は、ミキシング部２８に出力される。
【００２９】
スケーリング部２６は、グラフィックス処理部２３によって生成されたグラフィックのサイズ調節を実施する。このときスケーリング部２６は、グラフィックス処理部２３から供給されたスケーリング情報に従ってグラフィック（操作パネルなど）のサイズ調節を実施する。サイズ調節がなされたグラフィックの画像信号は、ブレンド部２９に出力される。
【００３０】
スケーリング部２７は、ビデオデコード部２４から出力された映像信号のサイズ調節を実施する。スケーリング部２７は、ブレンド部２９から取得した表示部１３の表示領域の大きさを示す情報、および、スケーリング部２６によってサイズ調節されたグラフィック（操作パネルなど）の大きさを示す情報を参照して、映像信号のサイズ調節を実施する。サイズが調節された映像信号は、ブレンド部２９に出力される。
【００３１】
ミキシング部２８は、音声デコード部２５によってデコードされた音声信号を出力する。
【００３２】
ブレンド部２９は、制御部１４からの指示に応じて、映像信号とグラフィックとを配置して合成を行う。そして、合成した映像信号とグラフィックとを表示部１３に表示する。
【００３３】
ＤＡＣ（Digital-Analog Converter）３１は、音声信号についてデジタル信号をアナログ信号に変更する。
【００３４】
スピーカ３２は、ＤＡＣ３１によって変換されたアナログ信号を音声として出力する。
【００３５】
（テレビ１０の要部構成）
次に、図１を参照して、テレビ１０の要部構成について説明する。図１は、テレビ１０の要部構成の一例を示すブロック図である。
【００３６】
図１に示すとおり、テレビ１０は、動作取得部１１、タッチパネル１２、表示部１３、制御部１４、および記憶部１５を備えている。なお、タッチパネル１２および表示部１３の詳細については既に説明しているため、ここでの説明を省略する。
【００３７】
また、上述したように、テレビ１０は表示制御装置１と一体となっている構成である。図１に示す破線で囲まれた部分が表示制御装置１である。
【００３８】
動作取得部１１はカメラ１１１（撮影部）を含む。カメラ１１１は、テレビ１０を利用している（テレビ１０に表示された番組を視聴している）ユーザを連続して撮影する撮影デバイスである。カメラ１１１は、テレビ１０を利用しているユーザを撮影可能な位置に備えられていればよい。動作取得部１１は、カメラ１１１によって撮影された映像を、動作情報として後述する操作予測部４１（検出部）に出力する。具体的には、カメラ１１１は、テレビ１０が起動している限り継続して映像を撮影し、動作取得部１１は、撮影した映像を操作予測部４１に継続して出力し続ける。なお、本実施形態ではカメラ１１１が映像（動画）を撮影するものとして説明しているが、カメラ１１１は画像（静止画）を所定時間（例えば、１秒）ごとに連続して撮影するものであってもよい。なお以降、カメラ１１１が撮影した映像を撮影映像と呼称する。
【００３９】
制御部１４は、操作予測部４１、表示制御部４２、および処理指示部４３を含む。
【００４０】
処理指示部４３は、タッチ情報に応じて制御部１４の各部に処理を指示するものである。具体的には、処理指示部４３は、タッチパネル１２からタッチ情報を取得すると、当該タッチ操作に応じた処理を特定する。そして、処理指示部４３は、制御部１４の各部に特定した処理を実行するよう指示する。例えば処理指示部４３は、操作パネル中のボタンに対するタッチ操作を示すタッチ情報を取得して、タッチされたボタンが示す画像を表示するよう、表示制御部４２に指示する。
【００４１】
操作予測部４１は、動作情報（詳細には、撮影映像）に応じて、ユーザがタッチパネル１２に対してタッチ操作を実行しようとしているか否かを判定するものである。操作予測部４１は、顔領域判定部４１１および左右領域判定部４１２を含む。操作予測部４１は、動作取得部１１から供給された撮影映像を顔領域判定部４１１に供給する。
【００４２】
顔領域判定部４１１は、撮影映像からユーザの顔が表示されている領域である顔領域を特定し、特定した顔領域に関する判定を行うものである。ここで、顔領域判定部４１１が実行する処理の詳細について、図３を参照して説明する。図３は、カメラ１１１が撮影する撮影映像の一例を示す図である。なお、以下の説明において、撮影映像を総称して「撮影映像１４１」と称する場合がある。また、撮影映像１４１ａ〜１４１ｅは、撮影映像における一部分を画像として示したものである。
【００４３】
顔領域判定部４１１は、撮影映像１４１を取得すると、まず顔領域を特定する。顔領域の特定は既存の技術を利用可能であるため、ここでの説明を省略する。次に顔領域判定部４１１は、特定した顔領域１４３が、取得した撮影映像１４１に予め設定された中心領域１４２において、後述する顔領域閾値５１１以上の範囲を占めるか否かを判定する。ここで図３の（ａ）では、撮影映像１４１ａにおいて、顔領域１４３が顔領域閾値５１１以上となっているとする。図３の（ａ）の例のように、顔領域閾値５１１以上の範囲を占めると判定した場合、顔領域判定部４１１は、当該判定結果を表示制御部４２に供給する。なお、本実施形態における中心領域１４２は、図３の（ａ）に示すように、撮影映像１４１に境界線を２本引くことによって特定される領域である。具体的には、中心領域１４２は、ユーザの顔が映り込むと想定される領域であり、当該領域を特定するように上記２本の境界線が引かれる。ただし、中心領域１４２はこの例に限定されるものではない。また、撮影映像１４１において、顔領域１４３が占める割合を判定してもよい。
【００４４】
これに対して、顔領域閾値５１１以上の範囲を占めないと判定した場合、顔領域判定部４１１は、撮影映像１４１の変化を特定し、特定した変化を判定する処理を行う。具体的には、撮影映像１４１に予め設定された中心領域１４２において、顔領域１４３の変化量（詳細には、顔領域の拡大率）が後述する顔変化閾値５１２以上であるか否かを判定する。ここで図３の（ｂ）では、テレビ１０に近接していない位置にてテレビ１０を利用している（番組を視聴している）ユーザがテレビ１０に近づいたことにより、撮影映像１４１ｃにおける顔領域１４３が、撮影映像１４１ｂの顔領域１４３に比べて大きくなっている。顔領域判定部４１１は、この変化が顔変化閾値５１２以上であると判定した場合、当該判定結果を表示制御部４２に供給する。
【００４５】
これに対して、顔変化閾値５１２を超えないと判定した場合、顔領域１４３の位置情報を左右領域判定部４１２に供給する。
【００４６】
なお、顔領域判定部４１１は、撮影映像１４１の中心領域１４２において、顔領域１４３が顔領域閾値５１１以上の範囲を占めるか否か、および、撮影映像１４１の中心領域１４２において、顔領域１４３の変化量（顔領域１４３の拡大率）が顔変化閾値５１２以上となったか否かのいずれか一方のみを判定する構成であってもよい。
【００４７】
また、顔領域判定部４１１は、上述した判定の前に、動作取得部１１から取得した撮影映像を用いてテレビ１０とユーザとの距離を判定してもよい。具体的には、顔領域判定部４１１が、特定した顔領域１４３の大きさが所定の閾値未満であると判定したとき、テレビ１０とユーザとが十分離れていると判定する。そして、十分離れていると判定したとき、顔領域判定部４１１は処理を終了する。換言すれば、顔領域判定部４１１は、テレビ１０とユーザとの距離がある程度近いときのみ、操作パネル１３２を表示するか否かの判定を実行する。
【００４８】
左右領域判定部４１２は、右側領域および左側領域に関する判定を行うものである。ここで、左右領域判定部４１２が実行する処理の詳細について、図４を参照して説明する。図４は、カメラ１１１が撮影する撮影画像の一例を示す図である。
【００４９】
図４に示すように、左右領域判定部４１２は、顔領域判定部４１１から供給された顔領域１４３の位置情報に従って、撮影映像１４１を左側領域１４４と右側領域１４５に分割する。具体的には、顔領域１４３の中心に境界線を引くことで、撮影映像１４１を左側領域１４４と右側領域１４５に分割する。そして、撮影映像１４１の変化を特定し、特定した変化を判定する処理を行う。具体的には、撮影映像１４１の左側領域１４４または右側領域１４５において、所定の変化がおこったか否かを判定する。なお、撮影映像１４１の分割は、上記のように顔領域１４３の中心に境界線を引く例に限定されるものではない。例えば、ユーザの右腕および左腕の上腕部を特定して、右（左）腕の上腕部が含まれる領域を左側領域１４４（右側領域１４５）としてまず特定し、撮影映像１４１における左側領域１４４（右側領域１４５）以外の領域を右側領域１４５（左側領域１４４）としてもよい。
【００５０】
ここで、上述した所定の変化の例について詳細に説明する。なお所定の変化は以下に説明するものに限定されず、左側領域１４４または右側領域１４５において、ユーザがタッチパネル１２に対するタッチ操作を実行しようとすることにより発生する変化であればよい。
【００５１】
例えば、左右領域判定部４１２は、左側領域１４４または右側領域１４５における変化率が、後述する左右変化閾値５１３以上であるか否かを判定してもよい。
【００５２】
また、左右領域判定部４１２は、左側領域１４４または右側領域１４５において左手または右手を認識した場合において、認識した左手または右手の変化率が、閾値（不図示）以上であるか否かを判定してもよい。
【００５３】
また、左右領域判定部４１２は、左側領域１４４または右側領域１４５において棒状の物体（例えば、人差し指、ペンなど）が出現したか否かを判定してもよい。
【００５４】
また、左右領域判定部４１２は、左側領域１４４または右側領域１４５において前腕（人間の腕のうち、手の付け根から肘までの部分）が出現したか否かを判定してもよい。
【００５５】
また、左右領域判定部４１２は、左側領域１４４の左端または右側領域１４５の右端から、動くものが出現したか否かを判定してもよい。
【００５６】
なお、左右領域判定部４１２は、上述した５つの判定のすべてを実行するものであってもよいし、少なくとも１つを実行するものであってもよい。なお以降、本実施形態の左右領域判定部４１２は、左側領域１４４または右側領域１４５における変化率が、後述する左右変化閾値５１３以上であるか否かのみを判定する構成であるとして説明する。ここで「変化率」とは、撮影映像１４１においてある瞬間を切り取った画像と、その所定時間後（例えば１秒後）の瞬間を切り取った画像との違いを割合として数値化したものである。また、上述した棒状の物体、前腕、および左側領域１４４の左端または右側領域１４５の右端から出現する動くものの検知については、既存の技術を利用可能であるため、ここでの詳細な説明を省略する。
【００５７】
ここで図４の（ａ）では、撮影映像１４１ｄにおいて、テレビ１０に近接していない位置にてテレビ１０を利用しているユーザがタッチパネル１２にタッチしようと右手を前に伸ばす動作を行っている。その結果、撮影映像１４１ｄにおける左側領域１４４が、撮影映像１４１ｂの左側領域１４４から大きく変化している。この変化における変化率が左右変化閾値５１３以上であると判定した場合、左右領域判定部４１２は、当該判定結果を表示制御部４２に供給する。
【００５８】
また、図４の（ｂ）では、撮影映像１４１ｅにおいて、テレビ１０に近接していない位置にてテレビ１０を利用しているユーザがタッチパネル１２にタッチしようと左手を前に伸ばす動作を行っている。その結果、撮影映像１４１ｅにおける右側領域１４５が、撮影映像１４１ｂの右側領域１４５から大きく変化している。この変化における変化率が左右変化閾値５１３以上であると判定した場合、左右領域判定部４１２は、当該判定結果を表示制御部４２に供給する。
【００５９】
これに対して、変化率が左右変化閾値５１３を超えないと判定した場合、左右領域判定部４１２は、撮影映像１４１において変化がないことを示す情報を、顔領域判定部４１１に供給する。顔領域判定部４１１は、当該情報を供給されると、撮影映像１４１に対して上述した処理を再び実行する。
【００６０】
表示制御部４２は、表示部１３に画像（映像）を表示させるものである。表示制御部４２は、画像生成部４２１および画像位置決定部４２２を含む。表示制御部４２は、操作予測部４１（詳細には、顔領域判定部４１１または左右領域判定部４１２）から判定結果を供給されると、当該判定結果を画像生成部４２１および画像位置決定部４２２に供給する。
【００６１】
画像生成部４２１は、表示部１３に表示する画像を生成するものである。具体的には、画像生成部４２１は判定結果を供給されると、グラフィックス処理部２３を制御して、ユーザのタッチ操作によって操作可能な操作パネル（操作画像）を生成させる。具体的には、画像生成部４２１は判定結果を供給されると、当該判定結果に応じた、後述する画像データ５１４を読み出して、読み出した画像データ５１４が示す操作パネルをグラフィックス処理部２３に生成させる。
【００６２】
さらに具体的には、画像生成部４２１は、撮影映像１４１の左側領域１４４または右側領域１４５における変化率が左右変化閾値５１３以上であるという判定結果を供給された場合、ユーザが手（指先）でタッチ操作を行うための操作パネルを表示するための画像データ５１４を読み出し、当該画像データ５１４が示す操作パネルをグラフィックス処理部２３に生成させる。
【００６３】
ここで、画像生成部４２１によって生成される操作パネルの詳細について、図５を参照して説明する。図５は、テレビ１０における、操作パネルおよびメニュー画像の例を示す画面図である。
【００６４】
撮影映像１４１の左側領域１４４または右側領域１４５における変化率が左右変化閾値５１３以上であるという判定結果を供給された場合、画像生成部４２１は、読み出した画像データ５１４に従って、グラフィックス処理部２３に図５の（ａ）に示す操作パネル１３２ａを生成させる。
【００６５】
また、画像生成部４２１は、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合、ユーザが口にくわえたペンなどでタッチ操作を行うための操作パネルを表示するための画像データ５１４を読み出し、当該画像データ５１４が示す操作パネルをグラフィックス処理部２３に生成させる。
【００６６】
具体的には、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合、画像生成部４２１は、読み出した画像データ５１４に従って、グラフィックス処理部２３に図５の（ｃ）に示す操作パネル１３２ｂを生成させる。
【００６７】
操作パネル１３２ｂは、各ボタン（操作パネル１３２ｂ中に含まれるボタンを模したタッチインターフェース）が、図５の（ａ）に示す操作パネル１３２ａに比べて大きくなっている。つまり操作パネル１３２ｂは、ユーザが口にくわえたペンなどでタッチ操作を行う場合に、各ボタンをタッチしやすいようなデザインとなっている。
【００６８】
「ユーザが口にくわえたペンなどでタッチ操作を行う」という状況は、例えば病院などで両手を使用できないユーザがテレビ１０を操作する場合に起こり得る状況である。口にくわえたペンなどで操作する場合、手によって操作する場合と比べて操作がしづらいという問題がある。そこで、このような場合に操作パネル１３２を図５の（ｃ）に示す操作パネル１３２ｂのようなデザインとすることで、ユーザにとって操作しやすいタッチインターフェースを実現することができる。
【００６９】
なお、図５の（ｃ）に示す操作パネル１３２ｂにおいては、「カーソル」と記載されたボタンにタッチすることで、図５の（ａ）に示す操作パネル１３２ａに含まれる十字キー（「決定」と記載されたボタンおよび当該ボタンの周りの４つの矢印ボタン）が表示される。また、操作パネル１３２ｂにおいては、「数字」と記載されたボタンにタッチすることで、操作パネル１３２ａに含まれるテンキーが表示される。
【００７０】
また、画像生成部４２１は、グラフィックス処理部２３を制御することにより、操作パネルの画像信号と、供給された判定結果に応じたスケーリング情報をスケーリング部２６に出力させる。ここでスケーリング情報とは、操作パネルを表示部１３に表示するときの大きさを示す情報である。これにより、画像生成部４２１は、スケーリング部２６に操作パネルのサイズ調節を実施させることができる。
【００７１】
この操作パネルのサイズ調節について、図６を参照して説明する。図６は、図１に示すテレビにおける、操作パネルの表示例を示す画面図である。図６の（ｂ）〜（ｄ）は、ユーザが、図６の（ａ）に示すように表示部１３の表示領域全体にテレビ画面１３１を表示させてテレビを視聴しているときに、何らかの動作によってタッチパネル１２に対するタッチ操作を実行しようとした結果、表示される画像を示す図である。
【００７２】
画像生成部４２１は、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合、図６の（ｂ）に示すような大きさを示すスケーリング情報を、グラフィックス処理部２３を制御してスケーリング部２６に出力させる。これにより、スケーリング部２６は、図６の（ｂ）に示すような大きさとなるように、操作パネル１３２のサイズを調節する。
【００７３】
また画像生成部４２１は、撮影映像１４１の左側領域１４４または右側領域１４５における変化率が左右変化閾値５１３以上であるという判定結果を供給された場合、図６の（ｃ）または（ｄ）に示すような大きさを示すスケーリング情報、グラフィックス処理部２３を制御してスケーリング部２６に出力させる。これにより、スケーリング部２６は図６の（ｃ）または（ｄ）に示すような大きさとなるように、操作パネル１３２のサイズを調節する。
【００７４】
そしてスケーリング部２６は、スケーリング後の操作パネル１３２の画像信号をブレンド部２９に出力する。一方、画像生成部４２１は、画像位置決定部４２２に対して、画像位置を決定するよう指示する。
【００７５】
なお、テレビ画面１３１のサイズ調節については、上述したように、スケーリング部２７が、ブレンド部２９から取得した表示部１３の表示領域の大きさを示す情報、および、スケーリング部２６によってサイズ調節された操作パネル１３２の大きさを示す情報を参照して実施する。スケーリング部２７は、サイズ調節されたテレビ画面１３１の映像信号を、ブレンド部２９に出力する。
【００７６】
また画像生成部４２１は、処理指示部４３からの指示に応じて、グラフィックス処理部２３を制御することにより、操作パネル１３２と異なる画像を生成させる。この処理の詳細について、再度図５を参照して説明する。
【００７７】
図５の（ａ）は、図６の（ｃ）または（ｄ）における操作パネル１３２の一例を示す図面である。換言すれば、撮影映像１４１の左側領域１４４または右側領域１４５における変化率が左右変化閾値５１３以上であるという判定結果を供給された場合に表示される操作パネル１３２の一例である。処理指示部４３は、図５の（ａ）に示す操作パネル１３２ａのツールボタン１５１の位置がタッチされたことを示すタッチ情報を取得すると、画像生成部４２１に対して、ツール画像１３３を表示するよう指示する。画像生成部４２１は当該指示を受けると、グラフィックス処理部２３を制御して、図５の（ｂ）に示すようなツール画像１３３を生成する。具体的には、画像生成部４２１は、処理指示部４３からの指示に応じて、ツール画像１３３の画像データ５１４を読み出して、ツール画像１３３をグラフィックス処理部２３に生成させる。
【００７８】
そして画像生成部４２１は、グラフィックス処理部２３を制御してスケーリング部２６に生成したツール画像１３３の画像信号を出力させる。このとき画像生成部４２１は、操作パネル１３２ａのサイズ調整結果、すなわち図５の（ａ）に示す操作パネル１３２ａのスケーリング情報を、グラフィックス処理部２３を制御してスケーリング部２６に出力させる。これによりツール画像１３３は、図５の（ａ）に示す操作パネル１３２ａと同じ大きさに調整される。
【００７９】
これに対して、図５の（ｃ）は、図６の（ｂ）における操作パネル１３２の一例を示す図面である。換言すれば、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合に表示される操作パネル１３２ｂの一例である。処理指示部４３は、図５の（ｃ）に示す操作パネル１３２ｂのツールボタン１５１の位置がタッチされたことを示すタッチ情報を取得すると、画像生成部４２１に対して、ツール画像１３４を表示するよう指示する。画像生成部４２１は当該指示を受けると、グラフィックス処理部２３を制御して、図５の（ｄ）に示すようなツール画像１３４を生成する。具体的には、画像生成部４２１は、処理指示部４３からの指示に応じて、ツール画像１３４の画像データ５１４を読み出して、ツール画像１３４をグラフィックス処理部２３に生成させる。
【００８０】
そして画像生成部４２１は、グラフィックス処理部２３を制御してスケーリング部２６に生成したツール画像１３４の画像信号を出力させる。このとき画像生成部４２１は、操作パネル１３２ｂのサイズ調整結果、すなわち図５の（ｃ）に示す操作パネル１３２ｂのスケーリング情報を、グラフィックス処理部２３を制御してスケーリング部２６に出力させる。これによりツール画像１３４は、図５の（ｃ）に示す操作パネル１３２ｂと同じ大きさに調整される。
【００８１】
その後、表示制御部４２は、操作パネル１３２ａ（または操作パネル１３２ｂ）が表示されていた位置に、ツール画像１３３（またはツール画像１３４）を表示する。
【００８２】
画像位置決定部４２２は、表示部１３に表示する画像（映像）の位置を決定するものである。具体的には、画像位置決定部４２２は、画像生成部４２１からの指示を受けると、表示制御部４２から供給された判定結果に従って、操作パネル１３２の位置を決定する。
【００８３】
画像位置決定部４２２は、撮影映像１４１の右側領域１４５における変化率が左右変化閾値５１３以上であるという判定結果を供給された場合、図６の（ｃ）に示すように、操作パネル１３２の位置を、表示部１３におけるユーザの左手側端部から所定距離の領域とする。なお、「ユーザの左（右）手側端部」とは、表示部１３などにおいて、テレビ１０と相対しているユーザの左（右）手側の端部という意味である。つまり、図５に示すテレビ１０の場合、左（右）手側端部は左（右）端となる。これ以降にて使用する「ユーザの左（右）手側端部」についても同様の意味である。
【００８４】
また画像位置決定部４２２は、撮影映像１４１の左側領域１４４における変化率が左右変化閾値５１３以上であるという判定結果を供給された場合、図６の（ｄ）に示すように、操作パネル１３２の位置を、表示部１３におけるユーザの右手側端部から所定距離の領域とする。
【００８５】
さらに画像位置決定部４２２は、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合、図６の（ｂ）に示すように、操作パネル１３２の位置を表示部１３の中心を含む領域とする。
【００８６】
また、画像位置決定部４２２は、決定した操作パネル１３２の位置に応じて、テレビ画面１３１の位置を決定する。具体的には、画像位置決定部４２２は、撮影映像１４１の左側領域１４４または右側領域１４５における変化率が左右変化閾値５１３以上であるという判定結果を供給された場合、図６の（ｃ）または（ｄ）に示すように、表示部１３の表示領域のうち、操作パネル１３２が表示されない領域を、テレビ画面１３１を表示する領域とする。
【００８７】
これに対して、画像位置決定部４２２は、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合、図６の（ｂ）に示すように、テレビ画面１３１を表示する領域を表示部１３の表示領域全体のままとする。このとき、画像位置決定部４２２は、操作パネル１３２をテレビ画面１３１に重畳させて表示すると決定する。
【００８８】
そして画像位置決定部４２２は、決定した操作パネル１３２およびテレビ画面１３１の位置情報を、グラフィックス処理部２３を制御してブレンド部２９に出力する。ブレンド部２９は、取得した位置情報に応じて、サイズ調整されたテレビ画面１３１および操作パネル１３２を合成する。そしてブレンド部２９は、合成した操作パネル１３２およびテレビ画面１３１を表示部１３に表示させる。
【００８９】
なお、表示制御部４２に、顔領域１４３が中心領域１４２において顔領域閾値５１１以上の範囲を占めるという判定結果、または撮影映像１４１の中心領域１４２において顔領域１４３の変化量が顔変化閾値５１２以上であるという判定結果を供給された場合、操作パネル１３２を表示部１３の全表示領域（全領域）に表示してもよい。これにより、操作パネル１３２が最大化されることとなるので、口にくわえたペンなどでタッチ操作を行うユーザにとってより操作しやすいタッチインターフェースを実現することができる。
【００９０】
記憶部１５は、テレビ１０（表示制御装置１）にて使用される各種データを記憶する記憶デバイスである。記憶部１５は、顔領域閾値５１１、顔変化閾値５１２、および左右変化閾値５１３を少なくとも格納している。
【００９１】
顔領域閾値５１１は、ユーザがタッチパネル１２に対するタッチ操作を実行しようとして、テレビ１０に顔を近づけていると判定するための数値（閾値）であり、詳細には、中心領域１４２において顔領域が占める割合の閾値である。この数値は、ユーザが自身の指先でタッチ操作を実行しようとしている場合の、中心領域１４２に対する顔領域１４３の占める割合を示す数値であればよく、その数値は特に限定されない。つまり、上述したような数値以上の場合、ユーザは指先でタッチ操作をする場合より顔をテレビ１０に近づけていることとなる。よって、ユーザが口にくわえたペンなどでタッチパネル１２に対するタッチ操作を実行しようとしている可能性が高いということとなる。なお、顔領域判定部４１１が、撮影映像１４１全体に対して顔領域１４３が占める割合を判定する場合、顔領域閾値５１１は、ユーザが自身の指先でタッチ操作を実行しようとしている場合の、撮影映像１４１に対する顔領域１４３の占める割合を示す数値となる。
【００９２】
顔変化閾値５１２は、ユーザがタッチパネル１２に対するタッチ操作を実行しようとして、テレビ１０に顔を近づけていると判定するための数値（閾値）であり、詳細には、撮影映像における顔領域１４３の拡大率の閾値である。この数値は、ユーザが通常通りテレビ１０を用いて番組などを視聴している状態から、ユーザが自身の指先でタッチ操作を実行しようとしている状態となったときの、顔領域１４３の拡大率を示す数値であればよく、その数値は特に限定されない。つまり、顔領域１４３の拡大率が、指先でタッチ操作を実行しようとするユーザが顔を近づけたとき以上の拡大率となった場合、ユーザは顔を近づけることにより（詳細には、口にくわえたペンなどを用いることにより）タッチ操作を実行しようとしていると判定できる。
【００９３】
左右変化閾値５１３は、ユーザがタッチパネル１２に対するタッチ操作を実行しようとして、右腕または左腕を動かしたと判定するための数値（閾値）であり、詳細には、撮影映像における、左側領域１４４または右側領域１４５における変化率の閾値である。この数値は、ユーザが通常どおりテレビ１０を用いて番組などを視聴している状態から、タッチパネル１２に対するタッチ操作を実行するために、テレビ１０（詳細には、表示部１３）に右腕または左腕を動かした状態となったときの、左側領域１４４または右側領域１４５における変化率より十分低い数値であればよく、その数値は特に限定されない。つまり、タッチ操作を実行するためにユーザが右腕または左腕を動かした状態となったとき、その変化率は左右変化閾値５１３以上となるので、ユーザが自身の指先でタッチ操作を実行しようとしていると判定できる。
【００９４】
なお、左右変化閾値５１３は、左右領域判定部４１２が、左側領域１４４または右側領域１４５が判定する所定の変化の内容に応じて変わったり、別の左右変化閾値５１３が追加されたりする。例えば、左右領域判定部４１２が、左側領域１４４または右側領域１４５において左手または右手を認識したときに、認識した左手または右手の変化率が、閾値以上であるか否かを判定する場合、左右変化閾値５１３は例えば、手を開いた状態から人差し指のみを伸ばした状態となったときの、左手または右手の変化率を示す値であればよい。
【００９５】
画像データ５１４は、操作パネル１３２やツール画像１３３を生成するための情報である。例えば、画像データ５１４は操作パネル１３２やツール画像１３３を生成するためのスクリプトであってもよい。
【００９６】
（画像表示処理の流れ）
次に、図７を参照して、本実施形態における画像表示処理の流れについて説明する。図７は、テレビ１０における画像表示処理の流れの一例を示すフローチャートである。なおここでの説明においては、手による操作用の操作パネルを、操作パネル１３２ａ（図５の（ａ）に示す操作パネル）と記載し、口にくわえたペンなどによる操作用の操作パネルを、図５の（ｃ）に示す操作パネル１３２ｂ（図５の（ｃ）に示す操作パネル）と記載することで、両者を区別して説明する。
【００９７】
まず、操作予測部４１は動作取得部１１から撮影映像１４１を供給されると、顔領域判定部４１１に当該撮影映像１４１を供給する。
【００９８】
顔領域判定部４１１は、撮影映像１４１を取得すると（Ｓ１）、当該撮影映像１４１からユーザの顔が表示されている領域である顔領域１４３を特定する（Ｓ２）。そして、顔領域判定部４１１は、特定した顔領域１４３が、中心領域１４２にて顔領域閾値５１１以上を占めているかを判定する（Ｓ３、検出ステップ）。具体的には、顔領域判定部４１１は、記憶部１５から顔領域閾値５１１を読み出し、中心領域１４２のうち、特定した顔領域１４３が占める領域の割合を示す数値が、顔領域閾値５１１以上となるか否かを判定する。
【００９９】
顔領域閾値５１１以上となると判定した場合（Ｓ３でＹＥＳ）、顔領域判定部４１１は、当該判定結果を表示制御部４２に供給する。表示制御部４２は、供給された判定結果に応じて、顔操作用の操作パネル１３２ｂを表示する（Ｓ９、表示ステップ）。具体的には、表示制御部４２は、顔操作用の操作パネル１３２ｂを、テレビ画面１３１に重畳させて表示させる。さらに具体的には、まず表示制御部４２は、供給された判定結果を画像生成部４２１に供給する。画像生成部４２１は顔領域１４３が中心領域１４２において顔領域閾値５１１以上の範囲を占めるという判定結果を供給されると、グラフィックス処理部２３を制御して、読み出した画像データ５１４に応じた操作パネル１３２ｂ（詳細には、図５の（ｃ）に示す操作パネル１３２ｂ）を生成させる。そして画像生成部４２１は、グラフィックス処理部２３を制御することにより、操作パネル１３２ｂの画像信号と、供給された判定結果に応じたスケーリング情報をスケーリング部２６に出力させる。これにより、スケーリング部２６は、図６の（ｂ）に示すような大きさとなるように、操作パネル１３２ｂのサイズを調節する。
【０１００】
そしてスケーリング部２６は、スケーリング後の操作パネル１３２ｂの画像信号をブレンド部２９に出力する。一方、画像生成部４２１は、画像位置決定部４２２に対して、画像位置を決定するよう指示する。
【０１０１】
画像位置決定部４２２は、上記指示を受けると、表示制御部４２から供給された判定結果に応じて、図６の（ｂ）に示すように、操作パネル１３２ｂの位置を表示部１３の中心を含む領域とする。また画像位置決定部４２２は、テレビ画面１３１を表示する領域を、表示部１３の表示領域全体のままとする。このとき、画像位置決定部４２２は、操作パネル１３２ｂをテレビ画面１３１に重畳させて表示すると決定する。そして画像位置決定部４２２は、決定した操作パネル１３２ｂおよびテレビ画面１３１の位置情報を、グラフィックス処理部２３を制御してブレンド部２９に出力する。
【０１０２】
ブレンド部２９は、取得した位置情報に応じて、図６の（ｂ）に示すように、サイズ調整されたテレビ画面１３１および操作パネル１３２ｂを合成する。そしてブレンド部２９は、合成した操作パネル１３２ｂおよびテレビ画面１３１を表示部１３に表示させる。
【０１０３】
これに対して、特定した顔領域１４３が、顔領域閾値５１１未満であると判定した場合（Ｓ３でＮＯ）、顔領域判定部４１１は、特定した顔領域１４３の変化量が中心領域１４２にて顔変化閾値５１２以上であるか否かを判定する（Ｓ４、検出ステップ）。具体的には、顔領域判定部４１１は、記憶部１５から顔変化閾値５１２を読み出し、中心領域１４２において、顔領域１４３の変化量（詳細には、顔領域１４３の拡大率）を算出し、当該拡大率が顔変化閾値５１２以上であるか否かを判定する。顔変化閾値５１２以上であると判定した場合（Ｓ４でＹＥＳ）、顔領域判定部４１１は、当該判定の判定結果を表示制御部４２に供給する。表示制御部４２は、上述したステップＳ９の処理を実行する。
【０１０４】
これに対して、顔領域１４３の拡大率が、顔変化閾値５１２未満であると判定した場合（Ｓ４でＮＯ）、顔領域判定部４１１は、顔領域１４３の位置情報を左右領域判定部４１２に供給する。
【０１０５】
左右領域判定部４１２は、供給された顔領域１４３の位置情報に従って、顔領域１４３を中心として、撮影映像１４１を左側領域１４４と右側領域１４５に分割する（Ｓ５）。そして、左右領域判定部４１２は、撮影映像１４１において左右変化閾値５１３以上の変化率を示す変化があるか否かを判定する（Ｓ６、検出ステップ）。具体的には、左右領域判定部４１２は、記憶部１５から左右変化閾値５１３を読み出し、左側領域１４４および右側領域１４５において発生した変化の変化率を算出し、当該変化率が左右変化閾値５１３以上であるか否かを判定する。
【０１０６】
まず、左右変化閾値５１３以上の変化が、左側領域１４４にて発生したと判定した場合（Ｓ６で「左側領域にてあり」）、左右領域判定部４１２は、当該判定結果を表示制御部４２に供給する。
【０１０７】
そして表示制御部４２は、供給された判定結果に応じて、右手操作用の操作パネル１３２ａを表示する（Ｓ７、表示ステップ）。具体的には、表示制御部４２は、表示部１３におけるユーザの右手側の端部から所定距離までの領域に操作パネル１３２ａを表示し、操作パネル１３２の左端から表示部１３においてユーザの左手側の端部までの領域にテレビ画面１３１を表示させる。さらに具体的には、まず表示制御部４２は、供給された判定結果を画像生成部４２１に供給する。画像生成部４２１は、撮影映像１４１の左側領域１４４における変化率が左右変化閾値５１３以上であるという判定結果を供給されると、グラフィックス処理部２３を制御して、読み出した画像データ５１４に応じた操作パネル１３２ａ（詳細には、図５の（ａ）に示す操作パネル１３２ａ）を生成させる。そして、画像生成部４２１は、グラフィックス処理部２３を制御することにより、操作パネル１３２ａの画像信号と、供給された判定結果に応じたスケーリング情報をスケーリング部２６に出力させる。これにより、スケーリング部２６は、図６の（ｄ）に示すような大きさとなるように、操作パネル１３２ａのサイズを調節する。
【０１０８】
そしてスケーリング部２６は、スケーリング後の操作パネル１３２ａの画像信号をブレンド部２９に出力する。一方、画像生成部４２１は、画像位置決定部４２２に対して、画像位置を決定するよう指示する。
【０１０９】
画像位置決定部４２２は、上記指示を受けると、表示制御部４２から供給された判定結果に応じて、図６の（ｄ）に示すように、操作パネル１３２ａの位置を、表示部１３におけるユーザの右手側の端部から所定距離までの領域とする。また画像位置決定部４２２は、テレビ画面１３１の位置を、操作パネル１３２ａの左端から表示部１３においてユーザの左手側の端部までの領域とする。そして画像位置決定部４２２は、決定した操作パネル１３２ａおよびテレビ画面１３１の位置情報を、グラフィックス処理部２３を制御してブレンド部２９に出力する。
【０１１０】
ブレンド部２９は、取得した位置情報に応じて、図６の（ｄ）に示すように、サイズ調整されたテレビ画面１３１および操作パネル１３２ａを合成する。そしてブレンド部２９は、合成した操作パネル１３２ａおよびテレビ画面１３１を表示部１３に表示させる。
【０１１１】
これに対して、左右変化閾値５１３以上の変化が、右側領域１４５にて発生したと判定した場合（Ｓ６で「右側領域にてあり」）、左右領域判定部４１２は、当該判定結果を表示制御部４２に供給する。
【０１１２】
そして表示制御部４２は、供給された判定結果に応じて、左手操作用の操作パネル１３２ａを表示する（Ｓ８、表示ステップ）。具体的には、表示制御部４２は、表示部１３におけるユーザの左手側の端部から所定距離までの領域に操作パネル１３２ａを表示し、操作パネル１３２ａの右端から表示部１３においてユーザの右手側の端部までの領域にテレビ画面１３１を表示させる。さらに具体的には、まず表示制御部４２は、供給された判定結果を画像生成部４２１に供給する。画像生成部４２１は、撮影映像１４１の右側領域１４５における変化率が左右変化閾値５１３以上であるという判定結果を供給されると、グラフィックス処理部２３を制御して、読み出した画像データ５１４に応じた操作パネル１３２ａを生成させる。そして、画像生成部４２１は、グラフィックス処理部２３を制御することにより、操作パネル１３２ａの画像信号と、供給された判定結果に応じたスケーリング情報をスケーリング部２６に出力させる。これにより、スケーリング部２６は、図６の（ｃ）に示すような大きさとなるように、操作パネル１３２ａのサイズを調節する。
【０１１３】
そしてスケーリング部２６は、スケーリング後の操作パネル１３２ａの画像信号をブレンド部２９に出力する。一方、画像生成部４２１は、画像位置決定部４２２に対して、画像位置を決定するよう指示する。
【０１１４】
画像位置決定部４２２は、上記指示を受けると、表示制御部４２から供給された判定結果に応じて、図６の（ｃ）に示すように、操作パネル１３２ａの位置を、表示部１３におけるユーザの左手側の端部から所定距離までの領域とする。また画像位置決定部４２２は、テレビ画面１３１の位置を、操作パネル１３２ａの右端から表示部１３においてユーザの右手側の端部までの領域とする。そして画像位置決定部４２２は、決定した操作パネル１３２ａおよびテレビ画面１３１の位置情報を、グラフィックス処理部２３を制御してブレンド部２９に出力する。
【０１１５】
ブレンド部２９は、取得した位置情報に応じて、図６の（ｃ）に示すように、サイズ調整されたテレビ画面１３１および操作パネル１３２ａを合成する。そしてブレンド部２９は、合成した操作パネル１３２ａおよびテレビ画面１３１を表示部１３に表示させる。
【０１１６】
これに対して、左右変化閾値５１３以上の変化が、いずれの領域でも発生していないと判定した場合（Ｓ６で「なし」）、すなわち、左側領域１４４および右側領域１４５の両方における変化率が左右変化閾値５１３未満であると判定した場合、左右領域判定部４１２は、撮影映像１４１において変化がないことを示す情報を、顔領域判定部４１１に供給する。顔領域判定部４１１は、当該情報を供給されると、ステップＳ１の処理から再度画像表示処理を実行する。
【０１１７】
（実施形態１に係るテレビ１０の作用効果）
以上のように、本実施形態に係るテレビ１０（詳細には、表示制御装置１）は、カメラ１１１を用いてユーザを撮影した映像を取得し、当該映像においてユーザがタッチパネル１２に対してタッチ操作を実行しようとする動作を特定すると、ユーザがタッチ操作を実行しやすい位置に操作パネル１３２を表示する。
【０１１８】
例えば、ユーザが右手でタッチ操作を実行しようとする動作を特定した場合は、表示部１３におけるユーザの右手側端部から所定距離の領域に操作パネル１３２ａを表示する。また逆に、ユーザが左手でタッチ操作を実行しようとする動作を特定した場合は、表示部１３におけるユーザの左手側端部から所定距離の領域に操作パネル１３２ａを表示する。また、ユーザが表示部１３に対して顔を近づける（口にくわえた指示体でタッチ操作を実行しようとする）動作を特定した場合は、表示部１３に操作パネル１３２ｂを表示する。
【０１１９】
これにより、ユーザの動きを予測して操作パネル１３２を表示することができるので、ユーザは操作パネル１３２を表示するためのタッチ操作を行う必要が無い。つまり、従来は、操作パネル１３２を表示するためのタッチ操作と、操作パネル１３２に対するタッチ操作との２回のタッチ操作で実現していた、テレビ１０に対する処理の実行指示（例えば、チャンネルを変えたり、設定を変更したりする処理の実行指示）を、１回のタッチ操作のみで実現することができる。よって、病院などで体の不自由なユーザがテレビ１０を使用する場合、必要最小限のタッチ操作でテレビ１０に対する処理の実行指示を行うことができる。
【０１２０】
また、カメラ１１１で撮影した映像を用いて、タッチ操作を実行しようとする動作を特定するので、ユーザがタッチ操作を実行しようとするための動作における、比較的早いタイミングで操作パネル１３２を表示することができる。これにより、ユーザはタッチすべき位置を早い段階で認識することができるので、戸惑うことなく操作パネル１３２に対するタッチ操作を実行することができる。
【０１２１】
また、ユーザの動作に応じて、操作パネル１３２の表示位置、大きさ、ボタン配置などを変えて表示するので、ユーザにとって使用しやすいタッチインターフェースを実現することができる。
【０１２２】
〔実施形態２〕
本発明の他の実施形態について、図８および図９に基づいて説明すれば、以下のとおりである。なお、説明の便宜上、前記実施形態にて説明した部材と同じ機能を有する部材については、同じ符号を付記し、その説明を省略する。
【０１２３】
（テレビ２０の要部構成）
まず、図８を参照して、テレビ２０（表示装置）の要部構成について説明する。図８は、テレビ２０の要部構成の一例を示すブロック図である。図８に示すように、テレビ２０は表示制御装置２と一体となっている構成である。図８に示す破線で囲まれた部分が表示制御装置２である。なお、テレビ２０のハードウェア構成については、実施形態１にて説明したテレビ１０のハードウェア構成と同様であるため、説明を省略する。
【０１２４】
図８に示すとおり、テレビ２０は、実施形態１で説明した動作取得部１１、制御部１４、記憶部１５に代えて動作取得部１７、制御部１８、記憶部１９をそれぞれ備えている。
【０１２５】
動作取得部１７は、実施形態１で説明した動作取得部１１と異なり、カメラ１１１の他に距離センサ１１２（距離測定部）を含む。
【０１２６】
距離センサ１１２は、テレビ２０と物体との距離を測定する測距センサである。具体的には、距離センサ１１２は、カメラ１１１が撮影する撮影映像における所定位置（例えば、撮影映像の中央の位置）にある物体と、テレビ２０における表示部１３が備えられた面（前面）との距離を測定する。動作取得部１７は、撮影映像とともに距離センサ１１２による測定結果である距離値（距離情報）を、後述する操作予測部４４に出力する。具体的には、カメラ１１１は、テレビ２０が起動している限り継続して映像を撮影する。また、距離センサ１１２は、テレビ２０が起動している限り継続して距離の測定を行う。そして動作取得部１１は、撮影した映像および測定した距離値を操作予測部４１に継続して出力し続ける。なお、距離センサ１１２が備えられる位置は、カメラ１１１が撮影する撮影映像における所定位置（例えば、撮影映像の中央の位置）にある物体と、テレビ２０における表示部１３が備えられた面（前面）との距離を測定することができる位置であれば、特に限定されない。
【０１２７】
制御部１８は、実施形態１で説明した制御部１４と異なり、操作予測部４１に代えて操作予測部４４を含む。
【０１２８】
操作予測部４４は、実施形態１で説明した操作予測部４１と異なり、顔領域判定部４１１、左右領域判定部４１２に加え、距離判定部４１３を含む。操作予測部４４は、動作取得部１７から取得した距離値を距離判定部４１３に供給する。
【０１２９】
距離判定部４１３は、距離センサ１１２が測定した距離値に関する判定を行うものである。具体的には、距離判定部４１３は、記憶部１９から後述する距離閾値５１５を読み出し、距離値が距離閾値５１５未満であるか否かを判定する。そして、距離閾値５１５未満であると判定した場合、操作予測部４４に指示して、撮影映像１４１を顔領域判定部４１１に供給させる。
【０１３０】
これに対して、取得した距離値が距離閾値５１５以上であると判定した場合、取得した距離値が距離閾値５１５未満となるまで取得した距離値と距離閾値５１５との比較を継続する。
【０１３１】
記憶部１９は、実施形態１で説明した記憶部１５と異なり、距離閾値５１５をさらに格納している。
【０１３２】
距離閾値５１５は、ユーザがタッチパネル１２に対するタッチ操作を実行しようとしているか否かを判定するための数値（閾値）であり、詳細には、距離センサ１１２が測定する距離値の閾値である。この数値は、ユーザがタッチパネル１２に対して腕を伸ばして指先によるタッチ操作を実行可能である最遠の位置にいるときの、テレビ２０の前面とユーザの胴体部分との距離を示す数値であればよい。つまり、取得した距離値が距離閾値５１５未満であるということは、ユーザはタッチパネル１２に対するタッチ操作を実行可能な位置にいるということであり、タッチ操作によって操作パネル１３２を表示しようとする可能性があるということである。
【０１３３】
（画像表示処理の流れ）
次に、図９を参照して、本実施形態における画像表示処理の流れについて説明する。図９は、テレビ２０における画像表示処理の流れの一例を示すフローチャートである。
【０１３４】
まず、操作予測部４４は動作取得部１１から撮影映像１４１および距離値を供給されると、距離判定部４１３に距離値を供給する。
【０１３５】
距離判定部４１３は、距離値を取得すると（Ｓ１１）、取得した距離値が距離閾値５１５未満であるか否かを判定する（Ｓ１２）。具体的には、記憶部１９から距離閾値５１５を読み出し、取得した距離値が距離閾値５１５未満となるか否かを比較する。
【０１３６】
距離閾値５１５以上となると判定した場合（Ｓ１２でＮＯ）、ステップＳ１１の処理に戻る。これに対して、距離閾値５１５未満となると判定した場合（Ｓ１２でＹＥＳ）、距離判定部４１３は、操作予測部４４に指示して、撮影映像１４１を顔領域判定部４１１に供給させる。
【０１３７】
これ以降のステップＳ１３からステップＳ２１までの処理は、実施形態１で説明した、図７のステップＳ１からＳ９までの処理と同様であるため、ここでの説明を省略する。
【０１３８】
（実施形態２に係るテレビ２０の作用効果）
以上のように、本実施形態に係るテレビ２０（詳細には、表示制御装置２）は、ユーザとテレビ２０とが所定の距離より近づいている場合に、カメラ１１１を用いてユーザを撮影した映像を取得し、ユーザがタッチパネル１２に対してタッチ操作を実行しようとする動作を特定する。
【０１３９】
これにより、ユーザが所定の距離より離れている位置（ユーザが手を伸ばしてもタッチパネル１２に届かない位置）で何かしらの動作を行ったとしても、操作パネル１３２は表示されない。よって、操作パネル１３２の誤表示を防ぐことができる。
【０１４０】
〔実施形態３〕
本発明のさらに別の実施形態について、図１０〜図１２に基づいて説明すれば、以下のとおりである。なお、説明の便宜上、前記実施形態にて説明した部材と同じ機能を有する部材については、同じ符号を付記し、その説明を省略する。
【０１４１】
（テレビ３０の要部構成）
まず、図１０を参照して、テレビ３０（表示装置）の要部構成について説明する。図１０は、テレビ３０の要部構成の一例を示すブロック図である。図１０に示すように、テレビ３０は表示制御装置３と一体となっている構成である。図１０に示す破線で囲まれた部分が表示制御装置３である。なお、テレビ３０のハードウェア構成については、実施形態１にて説明したテレビ１０のハードウェア構成と同様であるため、説明を省略する。
【０１４２】
図１０に示すとおり、テレビ３０は、実施形態１で説明した動作取得部１１、制御部１４、記憶部１５に代えて動作取得部５１、制御部５２、記憶部５３をそれぞれ備えている。
【０１４３】
動作取得部５１は、実施形態１で説明した動作取得部１１と異なり、カメラ１１１に代えて第１の距離センサ１１３（距離測定部）および第２の距離センサ１１４（距離測定部）を含む。
【０１４４】
第１の距離センサ１１３は、テレビ３０と物体との距離を測定する測距センサである。具体的には、第１の距離センサ１１３は、テレビ３０における、ユーザの左手側端部に設けられる。そして、第１の距離センサ１１３は、設けられた位置から、テレビ３０に最も近い物体までの距離を測定する。これについて、図１１の（ａ）を参照して説明する。図１１の（ａ）は、テレビ３０とユーザとの最短距離の算出方法を示す模式図である。図１１の（ａ）に示すように、ユーザＵは、タッチパネル１２に対するタッチ操作を実行するために、指先Ｆをタッチパネル１２に近づけている。このとき第１の距離センサ１１３は、設けられた位置から、テレビ３０に最も近い物体までの距離を測定する。つまり図１１の（ａ）の例では指先Ｆまでの距離を測定する。これに対して、例えばユーザが両腕を降ろして番組を視聴している場合、第１の距離センサ１１３は、設けられた位置から、ユーザの鼻先までの距離を測定することとなる。
【０１４５】
第２の距離センサ１１４は、設けられた位置以外は第１の距離センサ１１３と同様である。第２の距離センサ１１４は、テレビ３０における、ユーザの右手側端部に設けられる。例えば図１１の（ａ）に示すように、第２の距離センサ１１４も第１の距離センサ１１３と同様に、設けられた位置からテレビ３０に最も近い指先Ｆまでの距離を測定する。
【０１４６】
動作取得部５１は、第１の距離センサ１１３および第２の距離センサ１１４による測定結果である２つの距離値（第１の距離値ｌａおよび第２の距離値ｌｂ）を、後述する操作予測部４５に出力する。具体的には、第１の距離センサ１１３および第２の距離センサ１１４は、テレビ３０が起動している限り継続して距離の測定を行う。そして動作取得部５１は、第１の距離センサ１１３が測定した第１の距離値ｌａ（距離情報）および第２の距離センサ１１４が測定した第２の距離値ｌｂ（距離情報）を操作予測部４５に継続して出力し続ける。
【０１４７】
制御部５２は、実施形態１で説明した制御部１４と異なり、操作予測部４１に代えて操作予測部４５を含む。
【０１４８】
操作予測部４４は、実施形態１で説明した操作予測部４１と異なり、顔領域判定部４１１、左右領域判定部４１２に代えて、距離判定部４１４、算出部４１５、および領域特定部４１６を含む。操作予測部４４は、動作取得部５１から第１の距離値および第２の距離値を取得すると、当該第１の距離値および第２の距離値を距離判定部４１４に供給する。
【０１４９】
距離判定部４１４は、第１の距離センサ１１３および第２の距離センサ１１４が測定した距離値を用いて、物体とテレビ３０との最短距離を算出し、当該最短距離が後述する距離閾値５１６未満であるか否かを判定するものである。ここで、距離判定部４１４による最短距離の算出および最短距離に関する判定について、図１１の（ａ）を参照して説明する。距離判定部４１４は、第１の距離値ｌａおよび第２の距離値ｌｂを用いて、テレビ３０とユーザとの最短距離ｌｙを算出する。
【０１５０】
具体的には、第１の距離センサ１１３および第２の距離センサ１１４は、同じ物体（図１１の（ａ）の例では指先Ｆ）までの距離を測定する。ある物体から第１の距離センサ１１３までの距離値（第１の距離値）がｌａであり、当該物体から第２の距離センサ１１４までの距離値（第２の距離値）がｌｂである場合、第１の距離センサ１１３および第２の距離センサ１１４おける距離の測定可能範囲がテレビ３０の前面側のみであるとすれば、物体（指先Ｆ）の位置は１カ所に定まる。より詳細には、第１の距離センサ１１３の位置を中心とする半径がｌａの円と、第２の距離センサ１１４の位置を中心とする半径がｌｂの円とが交わる位置が、物体（指先Ｆ）の位置となる。
【０１５１】
このように物体（指先Ｆ）の位置が特定できるので、距離判定部４１４は、テレビ３０から物体までの最短距離ｌｙを算出することができる。具体的には、距離判定部４１４は、第１の距離値ｌａおよび第２の距離値ｌｂを取得すると、図１１の（ａ）に示す、第２の距離センサ１１４の位置から指先ＦまでのＸ軸方向の長さｌｘを特定する。そして、三平方の定理を用いて、第２の距離値ｌｂと特定した長さｌｘとから最短距離ｌｙを算出する。
【０１５２】
なお、図１１の（ａ）の例では、第２の距離センサ１１４の位置から指先ＦまでのＸ軸方向の長さをｌｘとしたが、第１の距離センサ１１３の位置から指先ＦまでのＸ軸方向の長さをｌｘとしてもよい。この場合、距離判定部４１４は、第１の距離値ｌａと特定した長さｌｘとから最短距離ｌｙを算出する。
【０１５３】
なおこの計算において、正確に計算するのであれば、図１１における紙面に垂直方向の成分（指先Ｆと、第１の距離センサ１１３および第２の距離センサ１１４との紙面に垂直方向の距離など）を考慮する必要がある。しかし、紙面に垂直方向の成分を考慮した場合に測定すべき距離と、上述した最短距離ｌｙとの差は小さく、許容範囲内であるため、本実施形態では考慮しないものとして説明している。
【０１５４】
具体的には、紙面に垂直方向の成分を考慮した場合、測定すべき距離は、「第１の距離センサ１１３と第２の距離センサ１１４とを結ぶ直線と物体（指先Ｆ）との距離」となる。以降この距離を距離ｌｃとする。ここで、第１の距離センサ１１３および第２の距離センサ１１４の紙面に垂直方向における測定範囲（第１の距離センサ１１３および第２の距離センサ１１４によって検出可能な位置にある物体から第１の距離センサ１１３と第２の距離センサ１１４とを結ぶ直線に垂直に下した直線と、タッチパネル１２の法線方向とがなす角度の範囲）は、−３０°〜＋３０°であるとする。そして、上記測定範囲の上限（または下限）となる位置に物体（指先Ｆ）があり、距離ｌｃが３０ｃｍであったとする。このとき最短距離ｌｙは、ｌｙ＝ｌｃ×ｃｏｓ（３０°）＝３０ｃｍ×ｃｏｓ（３０°）≒２６ｃｍとなる。つまり、最短距離ｌｙと距離ｌｃとの誤差は最大でも４ｃｍ程度であり、この差は許容範囲内である（距離ｌｃを最短距離ｌｙに近似することができる）ため、本実施形態では考慮しないものとして説明している。
【０１５５】
そして、距離判定部４１４は、算出した最短距離ｌｙと、記憶部５３から読み出した距離閾値５１６とを比較して、最短距離ｌｙが距離閾値５１６未満であるか否かを判定する。そして、距離閾値５１６未満であると判定した場合、第１の距離値ｌａおよび第２の距離値ｌｂを算出部４１５に供給するとともに、算出部４１５に、領域を決定するために使用する領域判定値を算出するよう指示する。
【０１５６】
これに対して、最短距離ｌｙが距離閾値５１６以上であると判定した場合、最短距離ｌｙが距離閾値５１６未満となるまで最短距離ｌｙの算出および判定を継続する。
【０１５７】
なお、距離判定部４１４による距離の判定は、この例に限定されない。例えば距離判定部４１４は、第１の距離値１ａおよび第２の距離値ｌｂが閾値以下（または閾値未満）であるか否かを判定し、第１の距離値１ａおよび第２の距離値ｌｂが閾値以下（または閾値未満）であると判定した場合、第１の距離値ｌａおよび第２の距離値ｌｂを算出部４１５に供給するとともに、算出部４１５に、領域を決定するために使用する領域判定値を算出するよう指示してもよい。上記閾値は例えば、人間の一般的な腕の長さを示す数値である。これにより、第１の距離値１ａおよび第２の距離値ｌｂが閾値以下（または閾値未満）であると判定された場合はつまり、ユーザがタッチパネル１２に対して腕を伸ばして指先によるタッチ操作を実行可能であるということである。
【０１５８】
算出部４１５は、領域判定値を算出するものである。具体的には、算出部４１５は、距離判定部４１４から領域判定値を算出するよう指示されると、供給された第１の距離値ｌａと第２の距離値ｌｂとを用いて、領域判定値を算出する。そして、算出した領域判定値を領域特定部４１６に供給する。
【０１５９】
ここで、図１１の（ｂ）を参照して、領域判定値の算出について詳細に説明する。図１１の（ｂ）は、指示体（指）がタッチする領域を特定するための方法を示す模式図である。図１１の（ｂ）に示すように、算出部４１５は、テレビ３０の幅（Ｘ軸方向の長さ）を予め等分しておく。なお、本実施形態では、図１１の（ｂ）に示すように、当該幅を６等分する例を説明するが、何等分するかは特に限定されるものではない。なお以降、６等分した幅のそれぞれを「単位」と称する。そして、算出部４１５は１単位の長さｒｘを特定し、第１の距離値ｌａおよび第２の距離値ｌｂを特定した長さｒｘで除算することで、無次元化した第１の距離値ｒａおよび第２の距離値ｒｂを算出する。
【０１６０】
なお、上記の例では算出部４１５はテレビ３０の幅を等分、すなわち、各単位の長さが等しくなるように分割していたが、この例に限定されるものではない。例えば算出部４１５は、各単位の長さが等しくならないように分割してもよい。
【０１６１】
そして算出部４１５は、無次元化した第１の距離値ｒａの２乗から、無次元化した第２の距離値ｒｂの２乗を減算することで、領域判定値を算出する。つまり領域判定値はｒａ２−ｒｂ２を計算することによって算出される数値である。算出部４１５は、算出した領域判定値を領域特定部４１６に供給する。また、算出部４１５はテレビ３０の幅を何等分したかを示す等分情報を、予め領域特定部４１６に供給している。
【０１６２】
領域特定部４１６は、タッチパネル１２において、ユーザがタッチ操作を実行しようとしている位置が含まれる領域を特定するものである。具体的には、領域特定部４１６は、供給された領域判定値（ｒａ２−ｒｂ２）と後述する領域決定閾値５１７とを比較することで、ユーザがタッチ操作を実行しようとしている位置が含まれる領域を特定する。
【０１６３】
ここで、領域の特定方法について図１１を参照して説明する。
【０１６４】
まず、図１１の（ａ）に示すように、領域特定部４１６は、タッチパネル１２を予め複数の領域に等分している。本実施形態では、タッチパネル１２を領域Ａ、領域Ｂ、および領域Ｃに３等分しているが、上述したテレビ３０の幅における、隣接する２つの単位の境界と、隣接する２つの境界とが一致するように等分するのであれば、この例に限定されるものではない。
【０１６５】
さらに領域特定部４１６は、算出部４１５から供給された等分情報を用いて、各単位の境界に座標を設定する。なお本実施形態では、説明の分かりやすさを重視して、上述したように図１１における紙面に垂直方向の成分はないものとして扱う（２次元座標として扱う）ものとするが、実際は図１１における紙面に垂直方向の成分を含む３次元座標となる。
【０１６６】
本実施形態では、でテレビ３０の前面におけるテレビ３０の中心を原点Ｏ（０，０）とする。そして、各単位の境界に図１１の（ｂ）に示すように座標を設定する。図１１の（ｂ）の例では６等分しているので、テレビ３０の右手側端部に設定される座標は（３，０）であり、テレビ３０の左手側端部に設定される座標は（−３，０）となる。またこのとき、２つの領域の境界と、２つの単位の境界の一部とが一致することとなるので、２つの領域の境界に座標が設定されることとなる。具体的には、領域Ａと領域Ｂとの境界における座標は（−１，０）となり、領域Ｂと領域Ｃとの境界における座標は（１，０）となる。
【０１６７】
ここで、指先Ｆが領域Ｂと領域Ｃとの境界にあるものとする。指先Ｆの座標を（ｘｔ，ｙｔ）としたときｘｔ＝１となる。ここで三平方の定理を用いると、ｒａ２＝｛１−（−３）｝２＋ｙｔ２であり、ｒｂ２＝（３−１）２＋ｙｔ２である。この２式から領域判定値は、ｒａ２−ｒｂ２＝４２−２２＝１６−４＝１２となる。
【０１６８】
また同様にして、指先Ｆが領域Ａと領域Ｂとの境界にある場合、領域判定値は、ｒａ２−ｒｂ２＝−１２となる。
【０１６９】
つまり、図１１の（ｂ）の例において、領域判定値が−１２以下である場合、指先Ｆは領域Ａに含まれる位置をタッチしようとしていると特定できる。また、領域判定値が−１２より大きく、１２より小さい場合、指先Ｆは領域Ｂに含まれる位置をタッチしようとしていると特定できる。さらに、領域判定値が１２より大きい場合、指先Ｆは領域Ｃに含まれる位置をタッチしようとしていると特定できる。
【０１７０】
以上より、領域特定部４１６は、供給された領域判定値と、本実施形態では−１２および１２である領域決定閾値５１７との大小関係を比較することで、タッチパネル１２において、ユーザがタッチ操作を実行しようとしている位置が含まれる領域を特定する。領域特定部４１６は、特定した領域を示す情報を表示制御部４２に供給する。
【０１７１】
記憶部５３は、実施形態１で説明した記憶部１５と異なり、顔領域閾値５１１、顔変化閾値５１２、および左右変化閾値５１３を格納していない。記憶部５３は、これらに代えて距離閾値５１６および領域決定閾値５１７を格納している。
【０１７２】
距離閾値５１６は、ユーザがタッチパネル１２に対するタッチ操作を実行しようとしているか否かを判定するための数値（閾値）であり、詳細には、第１の距離センサ１１３が測定した第１の距離値ｌａおよび第２の距離センサ１１４が測定した第２の距離値ｌｂから求められる最短距離ｌｙの閾値である。この数値は、ユーザがタッチパネル１２に対して腕を伸ばして指先によるタッチ操作を実行可能である最遠の位置にいるときの、ユーザの鼻先とテレビ３０の前面との距離を示す数値であればよい。
【０１７３】
領域決定閾値５１７は、ユーザがタッチ操作を実行しようとしている位置が含まれる領域を特定するための数値（閾値）である。上述したように、本実施形態では当該数値は−１２および１２であるが、この数値に限定されるものではない。
【０１７４】
ここで、領域決定閾値５１７として格納される数値を一般化する。指先Ｆが領域Ｂと領域Ｃとの境界にあるものとし、テレビ３０の左手側端部に設定される座標を（ｘ０，ｙ０）とし、テレビ３０の右手側端部に設定される座標を（ｘ１，ｙ１）とする。このとき、ｒａ２＝（ｘｔ−ｘ０）２＋（ｙｔ−ｙ０）２であり、ｒｂ２＝（ｘｔ−ｘ１）２＋（ｙｔ−ｙ０）２である。ここで、ｙ０＝ｙ１＝０であるので、ｒａ２＝（ｘｔ−ｘ０）２＋ｙｔ２となり、ｒｂ２＝（ｘｔ−ｘ１）２＋ｙｔ２となる。
【０１７５】
領域決定閾値５１７の値をｄとすると、ｄ＝ｒａ２−ｒｂ２＝−２×ｘｔ×ｘ０＋ｘ０２＋２×ｘｔ×ｘ１−ｘ１２となる。ここで、図１１の（ｂ）に示すように、ｘ０＝−ｘ１となるように原点Ｏを定めると、指先Ｆが領域Ｂと領域Ｃとの境界にある場合の領域決定閾値の値は、ｄ＝２×ｘｔ×ｘ１＋ｘ１２＋２×ｘｔ×ｘ１−ｘ１２＝４×ｘｔ×ｘ１となる。一方、指先Ｆが領域Ａと領域Ｂとの境界にあるものとしたときの領域決定閾値５１７の値は−ｄとなる。以上より、領域決定閾値５１７の値は、ｄ＝４×ｘｔ×ｘ１および−ｄと一般化することができる。
【０１７６】
なお、本実施形態において複数の距離センサが設けられる位置は、領域特定部４１６が、ユーザが触れようとしている領域を特定可能なように、それぞれ異なる位置に設けられていれば、その数および設けられる位置は特に限定されるものではない。つまり、本実施形態における複数の距離センサは、タッチパネル１２をどのように複数の領域に分割するかによって、その数および設けられる位置が決まる。例えば、タッチパネル１２を上下（図１１における紙面に垂直方向）に分割する場合は、第１の距離センサ１１３および第２の距離センサ１１４を、テレビ３０の例えば上側端部および下側端部にそれぞれ配置すればよい。
【０１７７】
（画像表示処理の流れ）
次に、図１２を参照して、本実施形態における画像表示処理の流れについて説明する。図１２は、テレビ３０における画像表示処理の流れの一例を示すフローチャートである。
【０１７８】
まず、操作予測部４５は動作取得部１１から第１の距離値ｌａおよびｌｂを供給されると、距離判定部４１４に第１の距離値ｌａおよび第２の距離値ｌｂを供給する。
【０１７９】
距離判定部４１４は、各距離センサが検出した距離値（第１の距離値ｌａおよび第２の距離値ｌｂ）を取得すると（Ｓ３１）、第１の距離値ｌａおよび第２の距離値ｌｂから求めた最短距離ｌｙが距離閾値未満であるか否かを判定する（Ｓ３２）。具体的には、第１の距離値ｌａおよび第２の距離値ｌｂから物体（例えば指先Ｆ）の位置を特定し、第２の距離センサ１１４の位置から指先ＦまでのＸ軸方向の長さｌｘを特定する。そして、三平方の定理を用いて、第２の距離値ｌｂと特定した長さｌｘとから最短距離ｌｙを算出する。そして、算出した最短距離ｌｙと、記憶部５３から読み出した距離閾値５１６とを比較する。
【０１８０】
距離判定部４１４は、距離閾値５１６以上となると判定した場合（Ｓ３２でＮＯ）、ステップＳ３１の処理に戻る。これに対して、距離閾値５１６未満となると判定した場合（Ｓ３２でＹＥＳ）、距離判定部４１４は、第１の距離値ｌａおよび第２の距離値ｌｂを算出部４１５に供給するとともに、算出部４１５に領域判定値を算出するよう指示する。
【０１８１】
算出部４１５は、距離判定部４１４からの指示を受けて、領域判定値（ｒａ２−ｒｂ２）を算出する（Ｓ３２）。具体的には、算出部４１５は、予め等分しておいたテレビ３０の幅の各単位の長さｒｘによって、供給された第１の距離値ｌａおよび第２の距離値ｌｂを除算することで、無次元化した第１の距離値ｒａおよび第２の距離値ｒｂを算出する。そして、ｒａ２−ｒｂ２を計算することで領域判定値を算出する。算出部４１５は、算出した領域判定値を領域特定部４１６に供給する。
【０１８２】
領域特定部４１６は、算出された領域判定値と領域決定閾値５１７の値ｄおよび−ｄとの大小関係を判定する（Ｓ３４）。具体的には、領域特定部４１６は、記憶部５３から領域決定閾値５１７を読み出し、供給された領域判定値と比較し、２つの値の大小関係を判定する。
【０１８３】
領域特定部４１６は、領域判定値が領域決定閾値５１７の値ｄ以上であると判定した場合（Ｓ３４で「ｄ≦（ｒａ２−ｒｂ２）」）、図１１に示す領域Ｃをユーザがタッチ操作を実行しようとしている位置を含む領域であると特定する。そして、領域Ｃを示す情報を表示制御部４２に供給する。表示制御部４２は、領域Ｃを示す情報を供給されると、右手操作用の操作パネル１３２を表示する（Ｓ３５）。なお、表示制御部４２が右手操作用の操作パネル１３２を表示するために実行する具体的な処理については、実施形態１にて説明した処理と同様であるので、ここでの説明を省略する。
【０１８４】
これに対して、領域特定部４１６は、領域判定値が領域決定閾値５１７の値−ｄ以下であると判定した場合（Ｓ３４で「（ｒａ２−ｒｂ２）≦−ｄ」）、図１１に示す領域Ａをユーザがタッチ操作を実行しようとしている位置を含む領域であると特定する。そして、領域Ａを示す情報を表示制御部４２に供給する。表示制御部４２は、領域Ａを示す情報を供給されると、左手操作用の操作パネル１３２を表示する（Ｓ３６）。なお、表示制御部４２が左手操作用の操作パネル１３２を表示するために実行する具体的な処理については、実施形態１にて説明した処理と同様であるので、ここでの説明を省略する。
【０１８５】
また、領域特定部４１６は、領域判定値が領域決定閾値５１７の値−ｄより大きく、ｄより小さいと判定した場合（Ｓ３４で「−ｄ＜（ｒａ２−ｒｂ２）＜ｄ」）、図１１に示す領域Ｂをユーザがタッチ操作を実行しようとしている位置を含む領域であると特定する。そして、領域Ｂを示す情報を表示制御部４２に供給する。表示制御部４２は、領域Ｂを示す情報を供給されると、顔操作用の操作パネル１３２を表示する（Ｓ３７）。なお、表示制御部４２が顔操作用の操作パネル１３２を表示するために実行する具体的な処理については、実施形態１にて説明した処理と同様であるので、ここでの説明を省略する。
【０１８６】
（実施形態３に係るテレビ３０の作用効果）
以上のように、本実施形態に係るテレビ３０（詳細には、表示制御装置３）は、カメラ１１１を用いずにユーザがタッチパネル１２に対してタッチ操作を実行しようとする動作、および当該タッチ操作が実行されると予想されるタッチパネル１２の位置を含む領域を特定することができる。
【０１８７】
これにより、映像や画像といった、容量の大きいデータを用いることなく、ユーザにとって使用しやすいタッチインターフェースを実現することができる。よって、テレビ３０（詳細には、表示制御装置３）の処理負荷を抑えることができる。
【０１８８】
〔ソフトウェアによる実現例〕
テレビ１０〜３０（詳細には、表示制御装置１〜３）の制御ブロック（特に操作予測部４１、表示制御部４２、処理指示部４３、操作予測部４４、および操作予測部４５）は、集積回路（ＩＣチップ）等に形成された論理回路（ハードウェア）によって実現してもよいし、ＣＰＵ（Central Processing Unit）を用いてソフトウェアによって実現してもよい。
【０１８９】
後者の場合、表示制御装置１〜３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１９０】
〔まとめ〕
本発明の態様１に係る表示制御装置（１）は、表示部（１３）および該表示部と一体に形成されたタッチパネル（１２）を備えた表示装置（テレビ１０）に、上記タッチパネルに対するタッチ操作によって操作可能な操作画像を上記表示部に表示させる表示制御装置であって、上記タッチパネルに触れようと体を動かしたユーザの体の動きを検出する検出部（操作予測部４１）と、上記検出部によって上記体の動きが検出されたとき、上記表示部に上記操作画像を表示する表示制御部（４２）と、を備える。
【０１９１】
上記の構成によれば、タッチパネルに触れようと体を動かしたユーザの体の動きが検出されたとき、表示部に操作画像を表示する。これにより、ユーザがタッチパネルにタッチする前に表示装置の表示部には操作画像が表示されることとなる。そのためユーザは、操作画像を表示するためのタッチ操作を行う必要が無い。それゆえ、ユーザが実行するタッチ操作を減らすことができるので、ユーザにとって使用しやすいタッチインターフェースを実現することができる。
【０１９２】
また、タッチパネルに触れようと体を動かしたユーザの体の動きを検出するので、ユーザは操作画像を表示するために特別な動作（例えばジェスチャや音声入力）などをする必要が無い。つまり、ユーザは周囲に人がいたとしても、何ら恥ずかしがることなく操作画像を表示するための動作（タッチ操作を実行しようとする動作）を行うことができる。
【０１９３】
また、タッチパネルに触れようと体を動かしたユーザの体の動きを検出するので、操作画像を表示するタイミングが、ユーザがタッチパネルにタッチする直前よりも前となる。よって、ユーザは操作画像においてタッチすべき位置を早い段階で認識することができるので、戸惑うことなくタッチ操作を実行することができる。
【０１９４】
本発明の態様２に係る表示制御装置は、上記態様１において、上記検出部は、上記ユーザの体の動きとして、上記ユーザの右手の動きおよび左手の動きを区別して検出し、上記表示制御部は、上記検出部によって上記右手の動きが検出されたとき、上記操作画像を上記表示部における上記ユーザの右手側の領域に表示する一方、上記左手の動きが検出されたとき、上記操作画像を上記表示部における上記ユーザの左手側の領域に表示してもよい。
【０１９５】
上記の構成によれば、ユーザが右手でタッチパネルに触れようとしている場合は、操作画像を表示部におけるユーザの右手側の領域に表示し、ユーザが左手でタッチパネルに触れようとしている場合は、操作画像を表示部におけるユーザの左手側の領域に表示する。
【０１９６】
これにより、ユーザが手を動かす距離が必要最小限となるので、ユーザにとって使いやすいタッチインターフェースを実現することができる。
【０１９７】
また、ユーザが動かした手と逆側に操作パネルを表示してしまうと、ユーザ自身の腕が表示装置に表示された画像または映像の視認の邪魔になってしまう。例えば表示装置がテレビである場合、ユーザ自身の腕が番組視聴の邪魔になってしまう。
【０１９８】
これに対して、上記の構成によれば、ユーザが動かした手の側の領域に操作パネルを表示するので、ユーザの腕が画像または映像の視認の邪魔にならない。
【０１９９】
本発明の態様３に係る表示制御装置は、上記態様１または２において、上記検出部は、上記ユーザの体の動きとして、上記ユーザの顔が上記タッチパネルに近づく動きを検出し、上記表示制御部は、上記検出部によって上記ユーザの顔が上記タッチパネルに近づく動きが検出されたとき、上記表示部の中心を含む領域または上記表示部の全領域に上記操作画像を表示してもよい。
【０２００】
上記の構成によれば、ユーザの顔がタッチパネルに近づく動きを検出したとき、操作画像を表示部の中心を含む領域または全領域に表示する。
【０２０１】
これにより、ユーザが口にペンなどの指示体をくわえてタッチ操作を実行しようとした場合にも、操作画像を表示することができる。
【０２０２】
ここで、ユーザが口にペンなどの指示体をくわえてタッチ操作を実行するという状況は、例えば、病院などで両手が不自由なユーザがテレビを視聴しているときに操作画像を表示しようとする状況である。このときユーザの顔は、ほとんどの場合表示部の中心の正面にあると考えられる。よって、操作画像を表示部の中心を含む領域に表示することで、ユーザが口にペンなどの指示体をくわえてタッチ操作を実行しようとするときに、顔を動かす距離を必要最小限とすることができる。これにより、ユーザが口にペンなどの指示体をくわえてタッチ操作を実行するような状況、換言すれば指先でタッチ操作を行う場合よりもユーザが望む位置へのタッチ操作が難しい状況であっても、ユーザが望む位置へのタッチ操作を行いやすい状態とすることができる。
【０２０３】
また、操作画像を表示部の全領域に表示すれば、操作画像が最大化されることになるので、操作画像に含まれる各項目も拡大されることとなるため、ユーザが望む位置へのタッチ操作を、より行いやすい状態とすることができる。
【０２０４】
本発明の態様４に係る表示制御装置は、上記態様１から３のいずれかにおいて、上記ユーザを連続して撮影する撮影部（カメラ１１１）をさらに備え、上記検出部は、上記撮影部によって撮影された映像または画像から上記ユーザの上記体の動きを検出してもよい。
【０２０５】
上記の構成によれば、ユーザを連続して撮影した映像または画像からタッチパネルに触れようとしているユーザの体の動きを検出する。これにより、ユーザがタッチパネルに触れようとしているか否かを、ユーザの動作における早い段階で特定することができる。よって、ユーザがタッチ操作を実行しようとする動作における早い段階で操作画像を表示することができるので、ユーザは操作画像においてタッチすべき位置を早い段階で認識することができ、戸惑うことなくタッチ操作を実行することができる。
【０２０６】
本発明の態様５に係る表示制御装置は、上記態様４において、上記検出部は、上記撮影部によって撮影された映像または画像における、上記ユーザの体の動きの変化率が所定の変化率以上であるか否かを判定し、上記表示制御部は、上記検出部によって上記所定の変化率以上であると判定されたとき、上記表示部に上記操作画像を表示してもよい。
【０２０７】
上記の構成によれば、撮影された映像または画像におけるユーザの体の動きの変化率が、所定の変化率以上であるとき、表示部に操作画像を表示する。これにより、ユーザがタッチパネルに触れようと体を動かしたことを特定することができるので、表示部に操作画像を表示することができる。また、変化率が所定の変化率未満である、すなわちユーザの体の動きがタッチパネルに触れようとする動きではない小さな動きである場合に、操作画像を表示しない。よって、ユーザがタッチパネルに触れるつもりが無いのに、表示部に操作画像が表示されてしまうといった誤表示を防ぐことができる。
【０２０８】
具体的には、ユーザがタッチパネルに触れようと体を動かすとき、撮影された映像または画像におけるユーザは、体を動かす前の状態から大きく変化する。その結果映像または画像におけるユーザの体の動きの変化率が大きくなる。つまり変化率が大きいときは、ユーザがタッチパネルに触れようとしている状況である。
【０２０９】
そして、所定の変化率を、ユーザが体を動かす前の状態から、タッチパネルに触れようとする動きを行った状態になったときの変化率より、十分低い値に設定すれば、当該所定の変化率と、映像または画像におけるユーザの体の動きの変化率とを比較することにより、ユーザがタッチパネルに触れようとしているか否かを特定することができる。これにより、ユーザがタッチパネルに触れようと体を動かしたときに、表示部に操作画像を表示することができる。
【０２１０】
本発明の態様６に係る表示制御装置は、上記態様５において、上記検出部は、上記撮影部によって撮影された映像または画像を、上記ユーザの顔を中心として左右に分割し、上記表示制御部は、上記検出部によって分割された上記映像または画像の左側の領域における上記変化率が上記所定の変化率以上であると判定されたとき、上記操作画像を上記表示部における上記ユーザの右手側の領域に表示する一方、右側の領域における上記変化率が上記所定の変化率以上であると判定されたとき、上記操作画像を上記表示部における上記ユーザの左手側の領域に表示してもよい。
【０２１１】
上記の構成によれば、撮影された映像または画像を、ユーザの顔を中心として左側の領域と右側の領域とに分割する。そして、左側の領域における変化率が所定の変化率である場合に、操作画像を表示部における右手側の領域に表示する。また、右側の領域における変化率が所定の変化率である場合に、操作画像を表示部における左手側の領域に表示する。
【０２１２】
これにより、ユーザの顔が撮影された映像または画像において、ユーザの顔が当該映像または画像の中心にない場合であっても、ユーザの右手が動いたか、または左手が動いたかについて正確に判定することができる。
【０２１３】
本発明の態様７に係る表示制御装置（２）は、上記態様４から６のいずれかにおいて、上記表示装置と上記ユーザとの距離を測定する距離測定部（距離センサ１１２）をさらに備え、上記検出部は、上記距離測定部によって測定された距離が所定の閾値未満であるとき、上記撮影部によって撮影された映像または画像から上記ユーザの上記体の動きを検出してもよい。
【０２１４】
上記の構成によれば、表示装置とユーザとの距離が所定の閾値未満であるとき、撮影された映像または画像からユーザの動きを検出する。換言すれば、表示装置とユーザとの距離が所定の閾値以上であるときは、ユーザの動きがあっても、ユーザの動きの検出を行わないので、操作画像を表示しないこととなる。つまり、ユーザがタッチパネルに触れようとする可能性があるときのみ、ユーザの動きの検出を行うようにすることができる。
【０２１５】
具体的には、ユーザがタッチパネルに対して腕を伸ばすことで、指先にてタッチパネルに触れることができる最遠の位置にいるときの、表示装置とユーザの胴体部分との距離を示す数値を閾値に設定すれば、距離測定部が測定した距離が当該閾値以上である場合、ユーザはタッチパネルに触れることができない位置にいることとなる。つまり、そのような位置にいるときにユーザが体を動かしたとしても、その動きはタッチパネルに触れようとする動きではない。このような場合、本態様に係る表示制御装置はユーザの動きの検出を行わない。つまり本態様に係る表示制御装置は、ユーザがタッチパネルに触れることのできる位置にいるときのみ、ユーザの動きの検出を行う。よって操作画像の誤表示を防ぐことができる。
【０２１６】
本発明の態様８に係る表示制御装置（３）は、上記態様１において、上記検出部は、上記タッチパネルを予め分割した複数の領域のうち、上記ユーザの体の動きによって触れようとしている領域を特定し、上記表示制御部は、上記検出部によって特定された上記領域と重なる上記表示部の表示領域に上記操作画像を表示してもよい。
【０２１７】
上記の構成によれば、タッチパネルを予め分割した複数の領域のうち、ユーザが触れようとしている領域を特定し、ユーザが触れようとしている領域に操作画像を表示する。換言すれば、ユーザが触れようとしている位置から大きく外れた位置に操作画像が表示されることは無い。これにより、ユーザが手を動かす距離が必要最小限となるので、ユーザにとって使いやすいタッチインターフェースを実現することができる。
【０２１８】
本発明の態様９に係る表示制御装置は、上記態様８において、上記触れようとしている領域を特定可能なようにそれぞれ異なる位置に設けられた、上記表示装置と上記ユーザとの距離を測定する複数の距離測定部をさらに備え、上記検出部は、上記複数の距離測定部によってそれぞれ測定された距離に基づいて、上記触れようとしている領域を特定してもよい。
【０２１９】
上記の構成によれば、複数の距離測定部がそれぞれ測定した距離に基づいて、ユーザが触れようとしている領域を特定する。
【０２２０】
これにより、複数の距離センサによる距離の測定のみで、ユーザがタッチ操作を実行しようとしている領域を特定することができる。つまり、ユーザを撮影した映像や画像などを用いなくとも、ユーザがタッチパネルに触れようとしているか否か、および触れようとしている場合の位置を判定することができる。よって、表示制御装置に映像や画像に対する処理といった負荷の大きい処理を実行させることなく、ユーザにとって操作しやすい位置に操作画像を表示することができる。
【０２２１】
なお、複数の距離測定部の位置は、タッチパネルをどのように分割するかによって決定される。つまり、複数の距離測定部が測定したそれぞれの距離を用いて、触れようとしている領域を識別可能であるように、複数の距離測定部の位置は決定される。例えば、タッチパネルを左右に分割する場合は、２つの距離測定部を、表示装置の右端部と左端部とにそれぞれ設ければよく、タッチパネルを上下に分割する場合は、２つの距離測定部を表示装置の上端部と下端部とにそれぞれ設ければよい。
【０２２２】
本発明の態様１０に係る表示制御装置の制御方法は、表示部および該表示部と一体に形成されたタッチパネルを備えた表示装置に、上記タッチパネルに対するタッチ操作によって操作可能な操作画像を上記表示部に表示させる表示制御装置の制御方法であって、上記タッチパネルに触れようと体を動かしたユーザの体の動きを検出する検出ステップ（Ｓ３、Ｓ４、Ｓ６）と、上記検出ステップにて上記体の動きを検出したとき、上記表示部に上記操作画像を表示する表示ステップ（Ｓ７、Ｓ８、Ｓ９）と、を含む。
【０２２３】
この制御方法によれば、態様１に係る表示制御装置と同様の作用効果を有する。
【０２２４】
本発明の各態様に係る表示制御装置は、コンピュータによって実現してもよく、この場合には、コンピュータを上記表示制御装置が備える各部（ソフトウェア要素に限る）として動作させることにより上記表示制御装置をコンピュータにて実現させる表示制御装置の制御プログラム、およびそれを記録したコンピュータ読み取り可能な記録媒体も、本発明の範疇に入る。
【０２２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２６】
本発明は、表示部および該表示部と一体に形成されたタッチパネルを備えたテレビなどの表示装置にタッチ操作可能な画像を表示させる表示制御装置に利用することができる。
【符号の説明】
【０２２７】
１  表示制御装置
２  表示制御装置
３  表示制御装置
１０  テレビ（表示装置）
１２  タッチパネル
１３  表示部
２０  テレビ（表示装置）
３０  テレビ（表示装置）
４１  操作予測部（検出部）
４２  表示制御部
４４  操作予測部（検出部）
４５  操作予測部（検出部）
１１１  カメラ（撮影部）
１１２  距離センサ（距離測定部）
１１３  第１の距離センサ（距離測定部）
１１４  第２の距離センサ（距離測定部）
Ｓ３  検出ステップ
Ｓ４  検出ステップ
Ｓ６  検出ステップ
Ｓ７  表示ステップ
Ｓ８  表示ステップ
Ｓ９  表示ステップ
【図１】
2016071558.tif 000003
【図２】
2016071558.tif 000004
【図３】
2016071558.tif 000005
【図４】
2016071558.tif 000006
【図５】
2016071558.tif 000007
【図６】
2016071558.tif 000008
【図７】
2016071558.tif 000009
【図８】
2016071558.tif 000010
【図９】
2016071558.tif 000011
【図１０】
2016071558.tif 000012
【図１１】
2016071558.tif 000013
【図１２】
2016071558.tif 000014